(57)【要約】【課題】周囲の温度に拘わらず起動直後に不完全な映像が表示されるのを抑止できる液晶ディスプレイ装置を提供する。【解決手段】液晶パネルを含む液晶モジュール４と、光源としてＬＥＤを用いたＬＥＤバックライト６と、周囲の温度を検出する温度センサ１と、液晶モジュールを起動した後に、温度センサで検出された温度に応じた時間だけ遅延させてＬＥＤバックライトを起動する制御部２を備えている。【選択図】図１
2011099879.tif 000002
【特許請求の範囲】
【請求項１】
液晶パネルを含む液晶モジュールと、
光源としてＬＥＤを用いたＬＥＤバックライトと、
周囲の温度を検出する温度センサと、
前記液晶モジュールを起動した後に、前記温度センサで検出された温度に応じた時間だけ遅延させて前記ＬＥＤバックライトを起動する制御部
とを備えた液晶ディスプレイ装置。
【請求項２】
液晶モジュールの立ち上がり時間と温度との関係を記憶したメモリ部と、
液晶モジュールを起動するための液晶制御信号を生成する液晶制御信号生成部と、
ＬＥＤバックライトを点灯させるためのＬＥＤ制御信号を生成するＬＥＤ制御信号生成部と、
前記液晶制御信号生成部に対して液晶制御信号の生成を指示するとともに、温度センサで検出された温度に対応する立ち上がり時間を前記メモリ部から取得する演算部と、
前記液晶制御信号生成部に対する液晶制御信号の生成の指示から、前記演算部で取得された立ち上がり時間が経過した後に、前記ＬＥＤ制御信号生成部に対してＬＥＤ制御信号の生成を指示する遅延生成部
とを備えたことを特徴とする請求項１記載の液晶ディスプレイ装置。
【発明の詳細な説明】
【技術分野】
【０００１】
この発明は、光源として発光ダイオード（以下、「ＬＥＤ：Light Emitting Diode」と略する）を用いたＬＥＤバックライトを備えた液晶ディスプレイ装置に関する。
【背景技術】
【０００２】
近年、液晶ディスプレイ装置のバックライトの光源として、従来の冷陰極蛍光管（ＣＣＦＬ：Cold Cathode Fluorescent Lamp）に代わって、ＬＥＤが用いられるようになってきた。ＣＣＦＬバックライトを備えた液晶ディスプレイ装置を低温で起動した場合、ＣＣＦＬバックライトの低温での輝度の立ち上がりは、液晶の立ち上がりより遅いために、液晶が立ち上がった後に映像が表示され始める。したがって、ユーザには、起動直後の不完全な映像は見えなかった。
【０００３】
しかしながら、ＬＥＤバックライトを備えた液晶ディスプレイ装置を低温で起動した場合、ＬＥＤは低温であっても点灯すると直ちに輝度が立ち上がる特性を有するのに対し、液晶は、低温での応答速度が遅く、立ち上がりが遅いという特性を有する。したがって、起動直後の不完全な映像がユーザに見えてしまうという問題があった。
【０００４】
このような起動直後に不完全な映像が表示されるのを抑止する技術として、特許文献１は、放電ランプの点灯を確実に開始させることができるとともに、液晶パネルが初期化される前の初期化前画像が表示されてしまうという不具合を防ぐことができ、かつ放電ランプに印加される電圧が変更されるときの、表示における輝度の変化を抑えることができる液晶表示装置を開示している。
【０００５】
この液晶表示装置において、液晶パネルは、表示データに基づいて駆動される。この液晶パネルには、照明手段の冷陰極ランプによる光が、背後側から照射される。ランプ制御手段は、冷陰極ランプに、点灯開始電圧を点灯開始期間にわたって印加した後、点灯開始電圧よりも低い点灯維持電圧を印加する。光透過率変更手段は、液晶パネルの光透過率を、点灯開始期間では第１光透過率にし、冷陰極ランプに印加される電圧が点灯開始電圧から点灯維持電圧に変更されるときに第１光透過率よりも高い第２光透過率に変更する。
【０００６】
【特許文献１】特開２００６−２６７４４６号公報
【発明の開示】
【発明が解決しようとする課題】
【０００７】
上述した起動直後に不完全な映像が表示されるという従来の問題を解消するために、ＬＥＤバックライトの点灯開始を遅らせることが考えられるが、単純にＬＥＤバックライトの点灯開始を遅らせるだけでは、ＬＥＤバックライトの点灯開始を遅らせる必要がない温度、例えば常温においても、映像がユーザに見えるようになるまでの時間が長くなってしまうという問題がある。
【０００８】
この発明は、上述した問題を解消するためになされたものであり、その課題は、周囲の温度に拘わらず起動直後に不完全な映像が表示されるのを抑止できる液晶ディスプレイ装置を提供することにある。
【課題を解決するための手段】
【０００９】
この発明に係る液晶ディスプレイ装置は、上記課題を解決するために、液晶パネルを含む液晶モジュールと、光源としてＬＥＤを用いたＬＥＤバックライトと、周囲の温度を検出する温度センサと、液晶モジュールを起動した後に、温度センサで検出された温度に応じた時間だけ遅延させてＬＥＤバックライトを起動する制御部を備えている。
【発明の効果】
【００１０】
この発明に係る液晶ディスプレイ装置によれば、液晶モジュールを起動した後に、周囲の温度に応じた時間だけ遅延させてＬＥＤバックライトを起動するように構成したので、周囲の温度に拘わらず起動直後に不完全な映像が表示されるのを抑止できる。
【発明を実施するための最良の形態】
【００１１】
以下、この発明の実施の形態を、図面を参照しながら詳細に説明する。
実施の形態１．
図１は、この発明の実施の形態１に係る液晶ディスプレイ装置の構成を示すブロック図である。この液晶ディスプレイ装置は、温度センサ１、制御部２、液晶制御装置３、液晶モジュール４、ＬＥＤ駆動装置５およびＬＥＤバックライト６を備えている。
【００１２】
温度センサ１は、周囲の温度を検出し、アナログの電圧値として出力する。この温度センサ１から出力される電圧値は、温度信号Ｓ１として制御部２に送られる。制御部２は、液晶モジュール４を起動するための液晶制御信号Ｓ２を生成して液晶制御装置３に送るとともに、温度センサ１から送られてくる温度信号Ｓ１に基づきＬＥＤ制御信号Ｓ３を生成してＬＥＤ駆動装置５に送る。この制御部２の詳細は後述する。
【００１３】
液晶制御装置３は、制御部２から送られてくる液晶制御信号Ｓ２に応じて液晶起動信号を生成し、液晶モジュール４に送る。液晶モジュール４は、液晶パネルに駆動用のドライバＩＣなどが実装されて構成されている。この液晶モジュール４の起動は、液晶制御装置３から送られてくる液晶起動信号に応じて開始される。この液晶モジュール４の裏面からＬＥＤバックライト６で発生された光が照射されることにより、液晶パネルの表面に文字または図形などが所定の輝度で表示される。
【００１４】
ＬＥＤ駆動装置５は、制御部２から送られてくるＬＥＤ制御信号Ｓ３に応じてＬＥＤ駆動信号を生成し、ＬＥＤバックライト６に送る。ＬＥＤバックライト６の点灯は、ＬＥＤ駆動装置５から送られてくるＬＥＤ駆動信号に応じて開始される。
【００１５】
次に、制御部２の詳細を説明する。制御部２は、温度検知部１１、メモリ部１２、演算部１３、液晶制御信号生成部１４、遅延生成部１５およびＬＥＤ制御信号生成部１６を備えている。温度検知部１１は、温度センサ１から温度信号Ｓ１として送られてくるアナログの電圧値をＡ／Ｄ変換し、デジタルの電圧値として演算部１３に送る。
【００１６】
メモリ部１２には、図２に示すような、液晶ディスプレイ装置で使用される液晶モジュール４の温度−時間特性、具体的には液晶モジュール４の立ち上がり時間ｔｄと温度（°Ｃ）との関係が予め格納されている。この温度−時間特性は、温度が低温になるほど立ち上がり時間ｔｄが大きくなり、高温になるほど立ち上がり時間ｔｄは小さくなる。このメモリ部１２の内容は、演算部１３によって読み出される。
【００１７】
演算部１３は、当該液晶ディスプレイ装置の電源スイッチ（図示は省略する）が投入されることにより、液晶制御信号生成部１４に対して液晶制御信号Ｓ２の生成を指示する。この指示は、遅延生成部１５にも送られる。また、演算部１３は、温度検出部１１から送られてくるデジタルの電圧値に対応する温度を算出し、この算出した温度に対応する立ち上がり時間ｔｄをメモリ部１２から取得する。この取得された立ち上がり時間ｔｄは、遅延生成部１５に送られる。
【００１８】
液晶制御信号生成部１４は、演算部１３からの指示に応答して液晶制御信号Ｓ２を生成する。この生成された液晶制御信号Ｓ２は、液晶制御装置３に送られる。
【００１９】
遅延生成部１５は、演算部１３により液晶制御信号生成部１４に対して液晶制御信号Ｓ２の生成が指示された時点から、演算部１３から送られてきた立ち上がり時間ｔｄのカウントを開始し、立ち上がり時間ｔｄが経過した後に、ＬＥＤ制御信号生成部１６に起動指令を送る。ＬＥＤ制御信号生成部１６は、遅延生成部１５からの起動指令に応答してＬＥＤ制御信号Ｓ３を生成する。この生成されたＬＥＤ制御信号Ｓ３は、ＬＥＤ駆動装置５に送られる。
【００２０】
次に、上記のように構成される液晶ディスプレイ装置の動作を、電源投入に実行される初期処理（温度センサ１からの温度信号Ｓ１に基づきＬＥＤ駆動装置５および液晶制御装置３を制御する処理）を中心に、図３に示すフローチャートを参照しながら説明する。
【００２１】
液晶ディスプレイ装置の電源がオンされると、まず、温度センサからの温度信号がＡ／Ｄ変換される（ステップＳＴ１１）。すなわち、温度検知部１１は、温度センサ１から温度信号Ｓ１として送られてくるアナログの電圧値をＡ／Ｄ変換し、デジタルの電圧値として演算部１３に送る。次いで、Ａ／Ｄ値に対応する温度Ｔｅｍｐ０が算出される（ステップＳＴ１２）。すなわち、演算部１３は、温度検出部１１から送られてくるデジタルの電圧値に対応する温度Ｔｅｍｐ０を算出する。
【００２２】
次いで、温度Ｔｅｍｐ０に対応する時間Ｔｄ０が取得される（ステップＳＴ１３）。すなわち、演算部１３は、ステップＳＴ１２で算出された温度Ｔｅｍｐ０に対応する立ち上がり時間Ｔｄ０をメモリ部１２から取得する。例えば、図５に示す温度−時間特性がメモリ部１２に格納されている場合は、温度Ｔｅｍｐ０が−２０°Ｃであれば、立ち上がり時間Ｔｄ０として３秒が取得される。この取得された時間Ｔｄ０は、遅延生成部１５に送られる。
【００２３】
次いで、液晶モジュールが起動される（ステップＳＴ１４）。すなわち、演算部１３は、液晶制御信号生成部１４に対して液晶制御信号Ｓ２の生成を指示する。この際、遅延生成部１５は、演算部１３から送られてきた立ち上がり時間ｔｄのカウントを開始する。液晶制御信号生成部１４は、この指示に応答して液晶制御信号Ｓ２を生成し、液晶制御装置３に送る。液晶制御装置３は、液晶制御信号生成部１４から受け取った液晶制御信号Ｓ２に応じて液晶モジュール４を起動するための液晶起動信号を生成し、液晶モジュール４に送る。これにより、液晶モジュール４の起動が開始される。
【００２４】
次いで、立ち上がり時間ｔｄが経過したかどうかが調べられる（ステップＳＴ１５）。すなわち、遅延生成部１５は、演算部１３から送られてきた立ち上がり時間ｔｄをカウントし、立ち上がり時間ｔｄが経過したかどうかを調べる。このステップＳＴ１５において、立ち上がり時間ｔｄが経過していないことが判断されると、このステップＳＴ１５を繰り返し実行しながら待機する。
【００２５】
一方、ステップＳＴ１５において、立ち上がり時間ｔｄが経過したことが判断されると、ＬＥＤバックライトが点灯される（ステップＳＴ１６）。すなわち、遅延生成部１５は、立ち上がり時間ｔｄをカウントした結果、立ち上がり時間ｔｄが経過したことを判断すると、ＬＥＤ制御信号生成部１６に起動指令を送る。ＬＥＤ制御信号生成部１６は、遅延生成部１５から起動指令を受け取ると、ＬＥＤ制御信号Ｓ３を生成してＬＥＤ駆動装置５に送る。このＬＥＤ制御信号Ｓ３を受け取ったＬＥＤ駆動装置５は、ＬＥＤ駆動信号を生成し、ＬＥＤバックライト６に送る。これにより、ＬＥＤバックライト６の点灯が開始される。
【００２６】
その後、画像表示が行われる（ステップＳＴ１７）。すなわち、液晶モジュール４の裏面からＬＥＤバックライト６で発生された光が照射されることにより、液晶パネルの表面に文字または図形などが所定の輝度で表示される。以上により、初期処理は終了する。
【００２７】
上述した図３のフローチャートに示す初期処理よって、図４のタイミングチャートに示すように、時刻ｔ１で液晶モジュール４が起動されてからｔｄ時間後の時刻ｔ２において、ＬＥＤバックライト６が点灯される機能が実現されている。例えば、上述したように、周囲の温度が−２０°Ｃの場合は、液晶モジュール４が起動されてから３秒後にＬＥＤバックライト６が点灯する。
【００２８】
従来のＣＣＦＬバックライトを備えた液晶ディスプレイ装置を低温で起動した場合、ＣＣＦＬバックライトの低温での輝度の立ち上がりは、液晶の立ち上がりより遅いために、図５に示すように、液晶モジュールが立ち上がった後にＣＣＦＬバックライトの輝度が立ち上がって映像が表示され始めるので、ユーザには、起動直後の不完全な映像が見えない。
【００２９】
一方、従来のＬＥＤバックライトを備えた液晶ディスプレイ装置を低温で起動した場合、図６に示すように、ＬＥＤは低温であっても点灯するとすぐに輝度が立ち上がるのに対し、液晶は低温での応答速度が遅く立ち上がりも遅い。したがって、ユーザには、起動直後の不完全な映像が見えてしまう。
【００３０】
これに対し、上述した実施の形態１に係る液晶ディスプレイ装置によれば、図７に示すように、ＬＥＤバックライト６を温度に応じた時間ｔｄだけ遅延させて液晶モジュール４が立ち上がった後に点灯させるように構成したので、ＬＥＤの点灯後に輝度が直ちに立ち上がっても、ユーザに不完全な映像が見えることはない。
【００３１】
以上説明したように、この発明の実施の形態１に係る液晶ディスプレイ装置によれば、低温時にＬＥＤバックライトを搭載した液晶ディスプレイ装置を起動する場合、ユーザに起動直後の不完全な映像を見せないようにすることが可能となるので、ユーザの不快度を低減し、満足度を向上させることができる。
【図面の簡単な説明】
【００３２】
【図１】この発明の実施の形態１に係る液晶ディスプレイ装置の構成を示すブロック図である。
【図２】この発明の実施の形態１に係る液晶ディスプレイ装置で使用される液晶モジュールの温度−時間特性を示す図である。
【図３】この発明の実施の形態１に係る液晶ディスプレイ装置の動作を示すフローチャートである。
【図４】この発明の実施の形態１に係る液晶ディスプレイ装置の動作を示すタイミングチャートである。
【図５】従来のＣＣＦＬバックライトを備えた液晶ディスプレイ装置の液晶モジュールおよびＣＣＦＬバックライトの立ち上がり特性を示す図である。
【図６】従来のＬＥＤバックライトを備えた液晶ディスプレイ装置の液晶モジュールおよびＬＥＤバックライトの立ち上がり特性を示す図である。
【図７】この発明の実施の形態１に係る液晶ディスプレイ装置の液晶モジュールおよびＬＥＤバックライトの立ち上がり特性を示す図である。
【符号の説明】
【００３３】
１  温度センサ、２  制御部、３  液晶制御装置、４  液晶モジュール、５  ＬＥＤ駆動装置、６  ＬＥＤバックライト、１１  温度検知部、１２  メモリ部、１３  演算部、１４  液晶制御信号生成部、１５  遅延生成部、１６  ＬＥＤ制御信号生成部。
【図１】
2011099879.tif 000003
【図２】
2011099879.tif 000004
【図３】
2011099879.tif 000005
【図４】
2011099879.tif 000006
【図５】
2011099879.tif 000007
【図６】
2011099879.tif 000008
【図７】
2011099879.tif 000009